(57)【特許請求の範囲】
【請求項１】
プラスチック基板と、薄膜トランジスタを含む薄膜トランジスタ層とを有する表示装置において、
前記薄膜トランジスタ層は、粘着性及び接着性を有しない樹脂膜と、粘着剤からなる粘着層とを介して、前記プラスチック基板上に配置され、
前記薄膜トランジスタ層の前記プラスチック基板側の表面には、前記樹脂膜が形成され、
前記樹脂膜の前記プラスチック基板側の表面には前記粘着層が形成され、
前記樹脂膜と前記プラスチック基板とが、前記粘着層によって貼り合わされていることを特徴とする表示装置。
【請求項２】
請求項１に記載の表示装置において、前記樹脂膜のリタデーションは５ｎｍ以下であることを特徴とする表示装置。
【請求項３】
請求項１又は２に記載の表示装置において、前記樹脂膜の厚みは１００μｍ以下であることを特徴とする表示装置。
【請求項４】
請求項１乃至３のいずれかに記載の表示装置において、前記樹脂膜は、紫外線硬化型又は熱硬化型の樹脂であることを特徴とする表示装置。
【請求項５】
請求項１乃至４のいずれかに記載の表示装置において、前記樹脂膜は、前記薄膜トランジスタ層の前記表面に塗布された膜であることを特徴とする表示装置。
【請求項６】
請求項１乃至５のいずれかに記載の表示装置において、前記プラスチック基板と対向する第２のプラスチック基板を有し、
前記第２のプラスチック基板は、前記薄膜トランジスタ層の前記表面とは反対側の表面に位置して、前記プラスチック基板と貼り合わされていることを特徴とする表示装置。
【請求項７】
請求項６に記載の表示装置において、前記薄膜トランジスタ層はガラス基板上に形成されると共に、前記第２のプラスチック基板と貼り合わされ、
前記第２のプラスチック基板と貼り合わされた後に、前記ガラス基板を除去し、
前記薄膜トランジスタ層の前記ガラス基板を除去した表面に前記樹脂膜が形成されていることを特徴とする表示装置。
【請求項８】
請求項１乃至７のいずれかに記載の表示装置において、液晶表示装置であることを特徴とする表示装置。
【請求項９】
請求項１乃至７のいずれかに記載の表示装置において、前記薄膜トランジスタ層は発光層を含むことを特徴とする表示装置。
【発明の詳細な説明】
【技術分野】
【０００１】
本発明は表示装置に関し、特に、薄膜トランジスタ又はカラーフィルタを形成した薄いガラス基板あるいは転写した薄膜トランジスタ層を用いた、衝撃に弱い表示パネルの機械的強度を改善した表示装置に関する。
【背景技術】
【０００２】
液晶表示装置や有機エレクトロルミネッセンス表示装置（有機ＥＬ表示装置）など、種々の表示装置が実用化されている。また、これら表示装置を組み込んだ携帯電話や携帯情報端末も提供されている。近年の表示装置においては、表示装置の薄型化、軽量化、フレキシブル化を進めるため、表示装置を形成する基板材料に、特許文献１などの薄ガラス基板や特許文献２などのプラスチック基板を用いることが行われている。
【０００３】
また、特許文献２などに示すように、ガラス基板上に薄膜トランジスタ（ＴＦＴ）などの機能素子を形成した後に、ガラスを除去または薄膜状にしてプラスチック基板に機能素子を貼り代え、柔軟に変形する表示装置も提案されている。
【０００４】
液晶表示装置や有機ＥＬ表示装置等の表示装置は、単に一枚の基板から構成されるものではなく、例えば、図１に示すように、液晶表示装置の表示パネルでは、薄膜トランジスタ（ＴＦＴ）を形成したガラス基板（ＧＳ（ＴＦＴ））に、カラーフィルタを形成したガラス基板（ＧＳ（ＣＦ））を対向配置すると共に、基板の周辺部にシール部材ＳＥを配置し、液晶ＬＣを封止している。さらに、その両面に偏光板ＰＰ１及びＰＰ２を粘着剤ＡＤ１及びＡＤ２で貼り付ける構造となっている。また、有機ＥＬ表示装置においても、特許文献３のように、表示パネルに偏光板を貼り付けた構成を採用している。
【０００５】
このように表示装置においては、複数の板状体を重ね合わせて配置することが必要であり、表示装置を構成する表示パネルの厚みがより増加する原因となる。このため、ガラス基板やプラスチック基板の厚みをより一層減少させる必要があり、表示パネルの機械的強度がより脆弱となる。特に、このような表示パネルを有する表示装置は衝撃強度が弱くなるため、携帯電話や携帯情報端末など、多様な衝撃を受ける可能性の高い機器に用いる場合には、大きな問題となっている。
【先行技術文献】
【特許文献】
【０００６】
【特許文献１】特開２００８−３９８６６号公報
【特許文献２】特開２００８−８９９９４号公報
【特許文献３】特開２００７−３３５３６５号公報
【発明の概要】
【発明が解決しようとする課題】
【０００７】
本発明が解決しようとする課題は、上記のような問題を解決し、表示装置を構成する表示パネルの機械的強度を改善し、衝撃強度を高めた表示装置を提供することである。
【課題を解決するための手段】
【０００８】
本発明の表示装置は、上述した課題を解決するため、以下のような特徴を有する。
【０００９】
（１）  プラスチック基板と、薄膜トランジスタを含む薄膜トランジスタ層とを有する表示装置において、前記薄膜トランジスタ層は、粘着性及び接着性を有しない樹脂膜と、粘着剤からなる粘着層とを介して、前記プラスチック基板上に配置され、前記薄膜トランジスタ層の前記プラスチック基板側の表面には、前記樹脂膜が形成され、前記樹脂膜の前記プラスチック基板側の表面には前記粘着層が形成され、前記樹脂膜と前記プラスチック基板とが、前記粘着層によって貼り合わされていることを特徴とする。
【００１０】
（２）  上記（１）に記載の表示装置において、前記樹脂膜のリタデーションは５ｎｍ以下であることを特徴とする。
【００１１】
（３）  上記（１）または（２）に記載の表示装置において、前記樹脂膜の厚みは１００μｍ以下であることを特徴とする。
【００１２】
（４）  上記（１）乃至（３）のいずれかに記載の表示装置において、前記樹脂膜は、紫外線硬化型又は熱硬化型の樹脂であることを特徴とする。
【００１３】
（５）  上記（１）乃至（４）のいずれかに記載の表示装置において、前記樹脂膜は、前記薄膜トランジスタ層の前記表面に塗布された膜であることを特徴とする。
【００１４】
（６）  上記（１）乃至（５）のいずれかに記載の表示装置において、前記プラスチック基板と対向する第２のプラスチック基板を有し、前記第２のプラスチック基板は、前記薄膜トランジスタ層の前記表面とは反対側の表面に位置して、前記プラスチック基板と貼り合わされていることを特徴とする。
【００１５】
（７）  上記（６）に記載の表示装置において、前記薄膜トランジスタ層はガラス基板上に形成されると共に、前記第２のプラスチック基板と貼り合わされ、前記第２のプラスチック基板と貼り合わされた後に、前記ガラス基板を除去し、前記薄膜トランジスタ層の前記ガラス基板を除去した表面に前記樹脂膜が形成されていることを特徴とする。
【００１６】
（８）  ガラス基板上に薄膜トランジスタ又はカラーフィルタを形成し、該ガラス基板に偏光板を粘着剤で貼り付けた表示装置において、該ガラス基板の該偏光板側の表面に、粘着性及び接着性を有しない樹脂膜を配置することを特徴とする。
【００１７】
（９）  上記（８）に記載の表示装置において、該樹脂膜に粘着剤で該偏光板を貼り付けていることを特徴する。
【００１８】
（１０）  上記（８）に記載の表示装置において、該樹脂膜に粘着剤でプラスチック基板を貼り付け、さらに、該プラスチック基板に粘着剤で該偏光板を貼り付けていることを特徴とする。
【００１９】
（１１）  上記（８）に記載の表示装置において、該ガラス基板上に薄膜トランジスタを形成し、プラスチック基板上にカラーフィルタを形成し、該ガラス基板と該プラスチック基板とを対向して配置した表示パネルと、該ガラス基板の該樹脂膜に粘着剤で他のプラスチック基板を貼り付け、さらに、該他のプラスチック基板に粘着剤で該偏光板を貼り付けていることを特徴とする。
【００２０】
（１２）  上記（８）乃至（１１）のいずれかに記載の表示装置において、該樹脂膜は、該ガラス基板の周辺に近い領域にのみ形成されていることを特徴とする。
【００２１】
（１３）  上記（８）に記載の表示装置において、該樹脂膜は、紫外線硬化型又は熱硬化型の樹脂がコーティングされた後、硬化されたものであることを特徴とする。
【００２２】
（１４）  上記（８）に記載の表示装置において、該樹脂膜のリタデーションは５ｎｍ以下であることを特徴とする。
【００２３】
（１５）  上記（８）に記載の表示装置において、該樹脂膜の厚みは１００μｍ以下であることを特徴とする。
【００２４】
（１６）  上記（８）乃至（１５）のいずれかに記載の表示装置において、該ガラス基板は、厚さが０．１５ｍｍ以下であることを特徴とする。
【００２５】
（１７）  上記（８）乃至（１５）のいずれかに記載の表示装置において、該ガラス基板は、厚さが０．０５ｍｍ以下であることを特徴とする。
【００２６】
（１８）  上記（１）乃至（１７）のいずれかに記載の表示装置において、液晶表示装置であることを特徴とする。
【００２７】
（１９）  上記（１）乃至（７）のいずれかに記載の表示装置において、前記薄膜トランジスタ層は発光層を含むことを特徴とする。
【発明の効果】
【００２８】
本発明によれば、ガラス基板の偏光板側の表面、あるいは、転写した薄膜トランジスタ層の偏光板側の表面に、粘着性及び接着性を有しない樹脂膜を配置することにより、表示パネルの機械的強度を改善し、特に、衝撃強度の高い表示装置を提供することが可能となる。
【図面の簡単な説明】
【００２９】
【図１】従来の表示装置に用いる液晶表示パネルの構造を説明する断面図である。
【図２】本発明の表示装置に用いる液晶表示パネルの構造を説明する断面図である。
【図３】本発明の表示装置に用いる表示パネルの製造プロセスを説明する第１の実施例である。
【図４】本発明の表示装置に用いる表示パネルの製造プロセスを説明する第２の実施例である。
【図５】本発明の表示装置に用いる表示パネルの製造プロセスを説明する第３の実施例である。
【図６】本発明の表示装置に用いる表示パネルの製造プロセスを説明する第４の実施例である。
【図７】本発明の表示装置に用いる有機ＥＬ表示パネルの構造を説明する断面図である。
【図８】本発明の表示装置に用いる表示パネルの製造プロセスを説明する第５の実施例である。
【発明を実施するための形態】
【００３０】
本発明に係る表示装置について、以下に詳細に説明する。図２は、本発明の表示装置に用いる液晶表示パネルの構造の一例を示す図である。液晶表示パネルの構造としては、薄膜トランジスタ（ＴＦＴ）を形成したガラス基板（ＧＳ（ＴＦＴ））と、カラーフィルタと形成したガラス基板（ＧＳ（ＣＦ））とを対向配置し、両基板の周辺部にシール部材ＳＥを配置して、内部に液晶ＬＣを封止している。当然、ガラス基板には、液晶に電界を印加するための電極や液晶の配向を制御する配向膜などが設けられている。薄膜トランジスタを形成したガラス基板には、電極に給電するための給電線や、電極を駆動するトランジスタに信号を印加するための信号線などが設けられている。
【００３１】
本発明の表示装置の特徴は、図２に示すように、少なくとも一方のガラス基板（ＧＳ（ＴＦＴ）又はＧＳ（ＣＦ））に、粘着性及び接着性を有しない樹脂膜（ＲＦ２又はＲＦ１）を配置することである。このような樹脂膜を基板の表面に配置することにより、基板の機械的強度を格段に高めることが可能となる。特に、ガラス基板の厚みが、０．１５ｍｍ以下、より好ましくは０．０５ｍｍ以下の場合には、樹脂膜の存在による表示パネルの機械的強度の増加は、より顕著となる。
【００３２】
粘着性及び接着性を有しない樹脂膜をガラス基板に形成する方法としては、ガラス基板の表面に、紫外線硬化型又は熱硬化型の樹脂をコーティングし、その後、紫外線照射又は加熱を行うことで、コーティング樹脂を硬化することにより、容易に形成することが可能である。
【００３３】
このように形成された樹脂膜は、ガラス基板の表面を覆い、ガラス基板と一体化されるが、樹脂膜の表面は粘着性も接着性も有していない。また、樹脂膜の厚みは、通常は、数μｍ〜数１０μｍ程度であり、極めて薄いため、表示パネルの厚み増加にほとんど影響しないが、樹脂のコーティングを厚くしたり、重ね塗りなどで樹脂膜の厚さは調整することができるため、表示パネルの厚みを抑制する観点からは、樹脂膜の厚みを１００μｍ以下に設定することが好ましい。
【００３４】
樹脂膜の特性としては、樹脂膜がガラス基板の表面という、表示パネルを構成する画素の近傍に配置されるため、樹脂膜のリタデーションは５ｎｍ以下であることが好ましい。これにより、画像の歪みなどの弊害を抑制することが可能となる。
【００３５】
樹脂膜を配置することの影響を評価するため、衝撃試験や曲げ試験を行った。ガラス基板の厚みを０．１ｍｍとした場合に、ステンレス球を用いた衝撃試験（所定の高さから基板に向かってステンレス球を自然落下させることによる破壊試験）では、樹脂膜がある場合には、樹脂膜がない場合で破壊しない限界の高さの８倍程度高さでも、破壊が発生しないことが確認されている。また、同じ基板を用いた曲げ試験（基板を曲げ破壊する限界の曲率を測定する試験）でも、樹脂膜がある場合には、樹脂膜がない場合の１．５倍の曲率まで曲げることが可能であることを確認している。
【００３６】
さらに、図２に示す樹脂膜（ＲＦ１又はＲＦ２）は、ガラス基板の表面全体に配置することが、より好ましいが、ガラス基板の周辺に近い領域にのみに樹脂膜を配置した場合でも、一定の機械的強度の増加が期待できる。特に、後述するように、樹脂膜の表面に、粘着剤を用いて偏光板や他の基板（プラスチック基板）などを貼り付ける場合には、周辺領域に樹脂膜を配置しただけでも、ガラス基板の機械的強度を、ガラス基板の表面全体に配置する場合に近い強度まで高めることが可能となる。
【００３７】
本発明の表示装置では、さらに、図２に示すように、偏光板（ＰＰ１又はＰＰ２。偏光板の厚みは約１００μｍ）が粘着剤（ＡＤ１又はＡＤ２。粘着剤の厚みは、２０μｍ程度。）を介してガラス基板（ＧＳ（ＣＦ）又はＧＳ（ＴＦＴ））に貼り付けられている。このように多層の板状体を貼り付けて表示パネルを構成しても、樹脂膜（ＲＦ１又はＲＦ２）を配置するため、ガラス基板を０．１５ｍｍ以下、さらには、０．０５ｍｍ以下まで薄くでき、表示パネル全体の厚さを薄くすることが可能となる。
【００３８】
以下では、本発明の表示装置に用いる各種の表示パネルについて、各々の製造プロセスを説明する。
図３は、表示パネルの製造プロセスに係る第１の実施例であり、図２に示す表示パネルを作製する工程を説明している。
【００３９】
工程（１）では、従来の工法にてガラス基板を用いた液晶表示セル（ＬＣＤセル）を作成する。この際、ガラス基板の厚みは０．５ｍｍであり、基板間の液晶ＬＣの層厚みは４μｍ程度である。当然、ガラス基板（ＧＳ（ＣＦ））には、カラーフィルタなどがガラス基板上に形成されており、ガラス基板（ＧＳ（ＴＦＴ））には、薄膜トランジスタなどがガラス基板上に形成されている。
【００４０】
工程（２）では、ガラス基板を機械研磨及び／またはＨＦエッチングにより、厚みを０．１５ｍｍまで薄くする。当然、ガラス基板の厚みを０．０５ｍｍまで薄くすることも可能である。
【００４１】
次に、工程（３）では、薄くしたガラス基板に紫外線硬化型樹脂をスピンコート法やスリットコート法などで塗布し、さらに、紫外線（ＵＶ）を照射し、コーティングした樹脂膜を硬化させる。樹脂膜は任意に設定可能であるが、０．５μｍ〜１００μｍの範囲で設定が可能である。なお、紫外線硬化型樹脂に替えて、熱硬化型樹脂を採用することもできる。
【００４２】
最後に、工程（４）で、樹脂膜（ＲＦ１又はＲＦ２）の表面に粘着剤（ＡＤ１又はＡＤ２）付きの偏光板（ＰＰ１又はＰＰ２）を貼り付ける。
【００４３】
図４は、表示パネルの製造プロセスに係る第２の実施例であり、液晶表示セルの両側にプラスチック基板を貼り付けた液晶表示パネルを作製する工程を説明している。
【００４４】
図４の工程（１）〜（３）までは、図３に係る工程（１）〜（３）と同様である。工程（４）において、樹脂層（ＲＦ１又はＲＦ２）の表面に粘着剤（ＡＤ１又はＡＤ２）を塗付し、プラスチック基板（厚み、０．１ｍｍ。ＰＬ１又はＰＬ２）を貼り付ける。
【００４５】
最後に、工程（５）で、プラスチック基板（ＰＬ１又はＰＬ２）の表面に粘着剤（ＡＤ３又はＡＤ４）付きの偏光板（ＰＰ１又はＰＰ２）を貼り付ける。
【００４６】
図５は、表示パネルの製造プロセスに係る第３の実施例であり、液晶表示セルをガラス基板とプラスチック基板の異なる材料の基板で構成すると共に、ガラス基板側に他のプラスチック基板を貼り付けた液晶表示パネルを作製する工程を説明している。
【００４７】
工程（１）では、厚み０．１ｍｍのプラスチック基板（ＰＬ（ＣＦ））にカラーフィルタを形成し、厚さ０．５ｍｍのガラス基板（ＧＳ（ＴＦＴ））に薄膜トランジスタ（ＴＦＴ）を形成し、両者を貼り合せると共に、両基板間にシール部材ＳＥを配置し、内部に液晶ＬＣを封入して液晶表示セルを作成する。基板間の液晶ＬＣの層厚みは４μｍ程度である。
【００４８】
工程（２）では、ＴＦＴを形成したガラス基板を機械研磨及び／またはＨＦエッチングにより、厚みを０．１５ｍｍまで薄くする。当然、ガラス基板の厚みを０．０５ｍｍまで薄くすることも可能である。
【００４９】
工程（３）では、薄くしたガラス基板（ＧＳ（ＴＦＴ））に紫外線硬化型樹脂をスピンコート法やスリットコート法などで塗布し、さらに、紫外線（ＵＶ）を照射し、コーティングした樹脂膜（ＲＦ３）を硬化させる。樹脂膜は任意に設定可能であるが、０．５μｍ〜１００μｍの範囲で設定が可能である。なお、紫外線硬化型樹脂に替えて、熱硬化型樹脂を採用することもできるが、硬化時の加熱により、プラスチック基板（ＰＬ（ＣＦ））が変形したり、光透過性が低下することがない範囲の硬化温度を有する樹脂を用いる。
【００５０】
工程（４）では、樹脂層（ＲＦ３）の表面に粘着剤（ＡＤ５）を塗付し、プラスチック基板（厚み、０．１ｍｍ。ＰＬ３）を貼り付ける。
【００５１】
最後に、工程（５）で、プラスチック基板（ＰＬ（ＣＦ）又はＰＬ３）の表面に粘着剤（ＡＤ６又はＡＤ７）付きの偏光板（ＰＰ１又はＰＰ２）を貼り付ける。
【００５２】
図６は、表示パネルの製造プロセスに係る第４の実施例であり、ガラス基板を途中で除去した薄膜トランジスタ層（ＴＦＴＬ）とプラスチック基板との間に液晶層を有する液晶表示セルであり、該薄膜トランジスタ層に他のプラスチック基板を貼り付けた液晶表示パネルを作製する工程を説明している。
【００５３】
工程（１）では、厚み０．１ｍｍのプラスチック基板（ＰＬ（ＣＦ））にカラーフィルタを形成し、厚さ０．５ｍｍのガラス基板（ＧＳ）の表面に薄膜トランジスタ層（ＴＦＴ）を形成し、両者を貼り合せると共に、両者間にシール部材ＳＥを配置し、内部に液晶ＬＣを封入して液晶表示セルを作成する。基板間の液晶ＬＣの層厚みは４μｍ程度である。
【００５４】
工程（２）では、ＴＦＴ層を保持しているガラス基板を機械研磨及び／またはＨＦエッチング、あるいは転写法により除去する。
【００５５】
工程（３）では、ＴＦＴ層（ＴＦＴＬ）の表面に、紫外線硬化型樹脂をスピンコート法やスリットコート法などで塗布し、さらに、紫外線（ＵＶ）を照射し、コーティングした樹脂膜（ＲＦ４）を硬化させる。樹脂膜は任意に設定可能であるが、０．５μｍ〜１００μｍの範囲で設定が可能である。なお、紫外線硬化型樹脂に替えて、熱硬化型樹脂を採用することもできるが、硬化時の加熱により、プラスチック基板（ＰＬ（ＣＦ））が変形したり、光透過性が低下することがない範囲の硬化温度を有する樹脂を用いる。
【００５６】
工程（４）では、樹脂層（ＲＦ４）の表面に粘着剤（ＡＤ８）を塗付し、プラスチック基板（厚み、０．１ｍｍ。ＰＬ４）を貼り付ける。
【００５７】
最後に、工程（５）で、プラスチック基板（ＰＬ（ＣＦ）又はＰＬ４）の表面に粘着剤（ＡＤ９又はＡＤ１０）付きの偏光板（ＰＰ１又はＰＰ２）を貼り付ける。
【００５８】
図６に示す実施例は、表示パネル自体にガラス基板は存在しないが、他の実施例において、ガラス基板が薄膜トランジスタを保持する代わりに、薄膜トランジスタ層自体が層形状を維持できる場合には、他の実施例と同様に樹脂膜を用いて表示パネルの機械的強度を向上させることが可能となる。
【００５９】
次に、図７に示すような有機エレクトロルミネッセント表示装置（有機ＥＬ表示装置）について、本発明を適用した実施例について説明する。
【００６０】
図７に示す有機ＥＬ表示装置の表示パネルは、ガラス基板（ＧＳ２）の表面に薄膜トランジスタ（ＴＦＴ）回路などを設けたＴＦＴ層（層厚み、０．５〜３μｍ。ＴＦＴＬ）や発光層となる有機ＥＬ層（層厚み、０．５〜３μｍ。ＯＥＬＬ）などが形成・配置されている。そして発光層を含む発光部は、対向基板となるガラス基板（ＧＳ１）とシール部材ＳＥにより密封される。また、２つのガラス基板（ＧＳ１，ＧＳ２）の間には粘着剤ＡＤが充填され、両者をより密着させている。
【００６１】
有機ＥＬ表示装置においては、特許文献３に示すように、表示パネルに偏光板を貼り付ける場合があり、このような有機ＥＬ表示装置の表示パネルに対しても本発明が適用可能であることを、以下に示す表示パネルの製造プロセスに係る第５の実施例で説明する。
【００６２】
工程（１）では、従来の工法により、ガラス基板（各々の基板の厚み、０．５ｍｍ）を用いた有機ＥＬセルを作製する。下側のガラス基板（ＧＳ（ＴＦＴ））には、発光部の駆動制御を行う薄膜トランジスタや発光層などが形成されている。２つのガラス基板間の形成される有機ＥＬ層（ＯＥＬＬ）の厚みは、約１０μｍ程度である。
【００６３】
工程（２）では、２つのガラス基板を機械研磨及び／またはＨＦエッチングにより、厚み０．１５ｍｍまで薄くする。より好ましくは、厚み０．０５ｍｍ以下まで薄くすることも可能である。
【００６４】
工程（３）では、各ガラス基板の表面に、紫外線硬化型樹脂をスピンコート法やスリットコート法などで塗布し、さらに、紫外線（ＵＶ）を照射し、コーティングした樹脂膜（ＲＦ１．ＲＦ２）を硬化させる。樹脂膜は任意に設定可能であるが、０．５μｍ〜１００μｍの範囲で設定が可能である。なお、紫外線硬化型樹脂に替えて、熱硬化型樹脂を採用することもできるが、硬化時の加熱により、有機ＥＬ層などの熱による損傷を与えない範囲の硬化温度を有する樹脂を用いる。
【００６５】
工程（４）では、粘着剤（ＡＤ）付きの偏光板ＰＰを、一方の樹脂膜（ＲＦ１）の表面に貼り付けることで、有機ＥＬ表示装置の表示パネルが完成する。
【００６６】
図８の実施例においても、薄いガラス基板の機械的強度を高めるため、樹脂膜（ＲＦ１，ＲＦ２）が効果的に機能している。
【産業上の利用可能性】
【００６７】
以上のように、本発明によれば、表示装置を構成する表示パネルの機械的強度を改善し、衝撃強度を高めた表示装置を提供することが可能となる。
【符号の説明】
【００６８】
ＡＤ，ＡＤ１〜１０  粘着剤
ＧＳ，ＧＳ１〜２  ガラス基板
ＧＳ（ＣＦ）  カラーフィルタ付きガラス基板
ＧＳ（ＴＦＴ）  薄膜トランジスタ付きガラス基板
ＬＣ  液晶
ＰＬ１〜３  プラスチック基板
ＰＬ（ＣＦ）  カラーフィルタ付きプラスチック基板
ＰＰ，ＰＰ１〜２  偏光板
ＲＦ１〜４  樹脂膜
ＳＥ  シール部材
ＴＦＴＬ  薄膜トランジスタ層
ＯＥＬＬ  有機エレクトロルミネッセンス層
【図１】
0005399805.tif 000002
【図２】
0005399805.tif 000003
【図３】
0005399805.tif 000004
【図４】
0005399805.tif 000005
【図５】
0005399805.tif 000006
【図６】
0005399805.tif 000007
【図７】
0005399805.tif 000008
【図８】
0005399805.tif 000009